(57)【特許請求の範囲】
【請求項１】
蝶番を介して連結されたヨロイとテンプルの一方に片持梁を設け、
前記テンプルを基準位置まで開いた状態から更に開くときに、当該開きに伴って前記片持梁が撓み、その復元力が前記テンプルを前記基準位置に戻すバネ力として作用するようにした眼鏡フレームにおいて、
前記ヨロイと前記テンプルとを、互いの端部で合口が構成されるように連結し、
前記片持梁の先端を前記合口に臨ませる一方、
前記ヨロイ又は前記テンプルのうち前記片持梁が設けられていない方の部材の前記端部に押当部を設け、
前記テンプルを前記基準位置から更に開くときに、前記片持梁の先端が前記押当部に突き当たりながら、当該片持梁が撓むように構成し、
前記ヨロイ又は前記テンプルのうち前記片持梁が設けられている方の部材の前記端部に、前記片持梁の先端を臨む開口部を形成する一方、
前記押当部を凸状に形成し、
前記テンプルを前記基準位置から更に開く際に、前記凸状部が前記開口部に遊挿して前記片持梁の先端と互いに突き立て合うように構成したことを特徴とする眼鏡フレーム。
【請求項２】
請求項１記載の眼鏡フレームにおいて、
前記片持梁の少なくとも一表面が外部に露出するように構成したことを特徴とする眼鏡フレーム。
【請求項３】
請求項１又は２記載の眼鏡フレームにおいて、
前記合口が眼鏡フロント側に配置されていることを特徴とする眼鏡フレーム。
【請求項４】
請求項１乃至３のいずれかに記載の眼鏡フレームにおいて、
前記テンプルを前記基準位置まで開いた時に、前記合口が所定の間隔を有していることを特徴とする眼鏡フレーム。
【請求項５】
請求項４に記載の眼鏡フレームにおいて、
前記合口の間隔が、前記所定の間隔と一致しているか否かを視認できる視認手段を有することを特徴とする眼鏡フレーム。
【請求項６】
蝶番を介して連結されたヨロイとテンプルの一方に片持梁を設け、
前記テンプルを基準位置まで開いた状態から更に開くときに、当該開きに伴って前記片持梁が撓み、その復元力が前記テンプルを前記基準位置に戻すバネ力として作用するようにした眼鏡フレームにおいて、
前記ヨロイと前記テンプルとを、互いの端部で合口が構成されるように連結し、
前記片持梁の先端を前記合口に臨ませる一方、
前記ヨロイ又は前記テンプルのうち前記片持梁が設けられていない方の部材の前記端部に押当部を設け、
前記テンプルを前記基準位置から更に開くときに、前記片持梁の先端が前記押当部に突き当たりながら、当該片持梁が撓むように構成し、
前記テンプルを前記基準位置まで開いた時に、前記合口が所定の間隔を有しており、
前記基準位置からの前記テンプルのずれ角が許容範囲内であるか否かを視認できる視認手段を有することを特徴とする眼鏡フレーム。
【請求項７】
請求項１乃至６の何れか記載の眼鏡フレームを具備して成ることを特徴とする眼鏡。
【発明の詳細な説明】
【０００１】
【発明の属する技術分野】
本発明は、テンプルを基準位置まで開いた眼鏡装用状態から、さらにバネ性をもってテンプルを外側に開けるようにした所謂バネ蝶番を有する眼鏡フレームとこの眼鏡フレームを用いた眼鏡とに関する。
【０００２】
【従来の技術】
バネ蝶番を有する従来の眼鏡フレームとしては、特開平6-242406号公報に代表されるようにバネ要素としてスプリングを用いたものが主流であった。この種の眼鏡フレームは、テンプルを基準位置まで開いた眼鏡装用状態から該テンプルをさらに開くときに、スプリングが圧縮されその弾性抗力が作用するようにしたものであり、眼鏡の掛け外しをスムースに行えると共に、テンプルのフィット感を良好にできるのが大きな特徴であった。一方、この種の眼鏡フレームには、スプリングを圧縮するための複雑な構造に付随する幾つかの欠点もあった。
【０００３】
そこで、その欠点を克服するものとして、実願平10-9090号公報や特開2001-1000158号公報に開示されてあるようにバネ要素として板バネを用いた眼鏡フレームも提案されている。これらの技術は概して、蝶番を介して連結されたヨロイとテンプルの一方に板バネ（バネ部材、バネ片）を設けると共に、他方に押当部（押圧突部、当接片）を設け、テンプルを眼鏡装用状態からさらに開くときに、板バネが押当部によって押圧されて撓むことにより該板バネの弾性抗力が作用するようにしたものである。
【０００４】
【発明が解決しようとする課題】
板バネを用いた上記従来の眼鏡フレームは、スプリングを圧縮するための構造が不要となる等、バネ蝶番本来の効果を担保しながらスプリングを用いた蝶番とは異質の特徴を発揮していたが、なおいっそう構成簡素にして見栄えの良い眼鏡フレームが望まれていた。
また、板バネを用いた上記従来の眼鏡フレームは、何れもテンプルを折り畳んだ状態のときに、板バネ又は押当部が外方に突き出てしまう点においても改善の余地があった。特に、実願平10-9090号公報記載の眼鏡フレームは、同公報の例えば図７に示されているように、テンプルを眼鏡装用状態から更に開いたときにも板バネが装用者のこめかみ側に大きく突き出てしまうこととなる。
また、バネ蝶番を有する眼鏡フレームには、フィッティングの調整が困難であると云う課題があった。
【０００５】
本発明の目的は、板バネを用いたバネ蝶番を有する眼鏡フレームを、簡素な構成でしかも見栄え良く実現する技術を提供することにある。本発明の目的は、板バネを用いたバネ蝶番を有する眼鏡フレームにおいて、テンプルを折り畳んだときなどにバネ蝶番に係る部材が外方に突き出てしまわないようにすることにある。本発明の目的は、バネ蝶番を有する眼鏡フレームを、経験の少ない販売員であっても容易にフィッティング調整できるようにすることにある。
【０００６】
【課題を解決するための手段】
上述の課題を解決するための手段として、第１の手段は、
蝶番を介して連結されたヨロイとテンプルの一方に片持梁を設け、
前記テンプルを基準位置まで開いた状態から更に開くときに、当該開きに伴って前記片持梁が撓み、その復元力が前記テンプルを前記基準位置に戻すバネ力として作用するようにした眼鏡フレームにおいて、
前記ヨロイと前記テンプルとを、互いの端部で合口が構成されるように連結し、
前記片持梁の先端を前記合口に臨ませる一方、
前記ヨロイ又は前記テンプルのうち前記片持梁が設けられていない方の部材の前記端部に押当部を設け、
前記テンプルを前記基準位置から更に開くときに、前記片持梁の先端が前記押当部に突き当たりながら、当該片持梁が撓むように構成したことを特徴とする眼鏡フレームである。
【０００７】
第２の手段は、
第１の手段にかかる眼鏡フレームにおいて、
前記ヨロイ又は前記テンプルのうち前記片持梁が設けられている方の部材が、当該端部において前記片持梁の自由端を出没可能に受け入れるように構成されていることを特徴とする眼鏡フレームである。
【０００８】
第３の手段は、
第１の手段にかかる眼鏡フレームにおいて、
前記ヨロイ又は前記テンプルのうち前記片持梁が設けられている方の部材の前記端部に、前記片持梁の先端を臨む開口部を形成する一方、
前記押当部を凸状に形成し、
前記テンプルを前記基準位置から更に開く際に、前記凸状部が前記開口部に遊挿して前記片持梁の先端と互いに突き立て合うように構成したことを特徴とする眼鏡フレームである。
【０００９】
第４の手段は、
第１乃至第３のいずれかの手段にかかる眼鏡フレームにおいて、
前記片持梁の少なくとも一表面が外部に露出するように構成したことを特徴とする眼鏡フレームである。
【００１０】
第５の手段は、
第１乃至第４のいずれかの手段にかかる眼鏡フレームにおいて、
前記合口が眼鏡フロント側に配置されていることを特徴とする眼鏡フレームである。
【００１１】
第６の手段は、
第１乃至第５のいずれかの手段にかかる眼鏡フレームにおいて、
前記テンプルを前記基準位置まで開いた時に、前記合口が所定の間隔を有していることを特徴とする眼鏡フレームである。
【００１２】
第７の手段は、
第６の手段にかかる眼鏡フレームにおいて、
前記合口の間隔が、前記所定の間隔と一致しているか否かを視認できる視認手段を有することを特徴とする眼鏡フレームである。
【００１３】
第８の手段は、
第６の手段にかかる記載の眼鏡フレームにおいて、
前記基準位置からの前記テンプルのずれ角が許容範囲内であるか否かを視認できる視認手段を有することを特徴とする眼鏡フレームである。
第９の手段は、
第１乃至第８の何れかの手段にかかる眼鏡フレームを具備して成ることを特徴とする眼鏡である。
【００１４】
【発明の実施の形態】
以下、図１〜図９を参照して本発明の好適な実施の形態について説明する。
〔第１の実施の形態〕
図１は、第１の実施の形態による眼鏡の平面図である。同図において、符号２，２はそれぞれ左右の眼鏡レンズであり、これら眼鏡レンズ２，２は、ブリッジ３によって連結されている。また、各眼鏡レンズ２，２の端部には、それぞれヨロイ４，４が取り付けられている。更に、各ヨロイ４，４には、それぞれ蝶番５，５を介してテンプル６，６が回動自在に枢結されて眼鏡１が構成されている。
なお、ブリッジ３には、図示せぬ鼻当て用パッド等が設けられている。
【００１５】
具体的には、図２にも示すように、各テンプル６は、テンプルエンドを有するテンプル本体６２と、このテンプル本体６２を眼鏡フロント側に延長する如くして取付けられた連結部材６１とから構成されている。そして、図３にも示すように、連結部材６１とヨロイ４とが蝶番５を介して連結されることにより、当該各部材４，６１で合口５２を構成しながらテンプル６が開閉自在とされている。
そして、後にも詳述するが、ヨロイ４には押当部４３が設けられ、連結部材６１には弾性部材としての板バネ（片持ち梁）７が設けられてあり、これらと蝶番５とが相まって所謂バネ蝶番としての機能を発揮するようになっている（図６参照）。
【００１６】
蝶番５は、図３（ｂ）に示すように、ヨロイ４に設けられた雄型蝶番片４１と、連結部材６１に設けられた雌型蝶番片６１１とを嵌合させた状態で、これらを蝶番軸５１で枢結することにより構成されている。
詳細には、雄型蝶番片４１は、ヨロイ４の一部における紙面垂直方向の厚さを薄く形成し、その部分に蝶番軸５１を貫通させる貫通軸孔を形成してなる。一方、雌型蝶番片６１１は、連結部材６１の一部を二股状に形成し、その部分に蝶番軸５１を貫通させる貫通軸孔を形成してなる。そして、蝶番軸５１として例えばビス状に形成したものを用い、該ビスを雌型蝶番片６１１の二股構造の何れかの貫通軸孔に形成したネジ溝に螺合させて蝶番５を構成している。
【００１７】
また、図３に示すように、ヨロイ４に設けられた雄型蝶番片４１には第１の目盛４１ａを付す一方、連結部材６１に設けられた雌型蝶番片６１１には第２の目盛６１１ａを付している。これら第１の目盛４１ａと第２の目盛６１１ａとは、テンプル６を図１中想像線（２点鎖線）で示す位置（以下、「基準位置」と記す。）まで開いた時に揃うようになっており、これらによってフィッティングの良否を視認する視認手段を構成している。
【００１８】
更に、図３に示すように、蝶番５では、ヨロイ４の連結部材６１側の端部４２と、連結部材６１のヨロイ４側の端部６１２とで合口５２が構成されており、テンプル６を所定の角度（例えば５度）以上に開拡したときには、これら端部４２，６１２どうしが当たり、合口５２が閉じることによって、それ以上のテンプル６の開拡が阻止されるようになっている。
【００１９】
さて、図３（ｂ）において、符号４３がヨロイ４の端部４２に設けられた押当部である。この押当部４３は、ヨロイ４と一体的に形成されている。なお、この押当部４３には、後述する板バネ７の先端７１が突立てられることとなるので、これを硬化しておくのが好ましい。又、この押当部４３とヨロイ４本体とを別部材で構成してもよい。
【００２０】
また、図４は、連結部材６１周りの分解図である。図示のように、連結部材６１は、板バネ７を装着するための装着部６１３を有しており、該装着部６１３には、自由端（先端７１）が合口５２を臨むようにして板バネ７が取付けられる。なお、板バネ７の素材は特に限定されないが、可撓性に加え、耐食性、耐磨耗性、耐塑性変形性の少なくとも１つを有する素材が好ましい。
【００２１】
板バネ７周りにはロウ接を一切採用しておらず、熱による板バネ７の鈍化を回避している。詳細には、板バネ７は、テンプル６の主延長線に沿う方向（図４中、上下方向）に延在するように配置され、そのテンプル６側の端のみが装着部６１３にリベット接合される。これによって板バネ７が片持梁を構成する。板バネ７と装着部６１３とをリベット接合することで、眼鏡１の製造を容易にできる。
なお、リベット６１４の貫入方向は、平面視においてテンプル６の厚み方向に略一致する。また、板バネ７を取替え可能に装着できるのは勿論である。
【００２２】
図４においては説明上、連結部材６１を断面図で示しているが、連結部材６１は、板バネ７の先端７１と一表面７２を除く部分を覆うに構成されている（図１，図２参照）。従って、図２（ｂ）或いは図５に詳細に示すように、板バネ７の裏面（こめかみ側の面）は露出しないが、その一表面７２が外部に露出するようになっている。そこで、板バネ７の一表面７２に、所定の刻印、メッキその他の装飾を施すことにより、眼鏡１全体の構成の簡素化を図りながら美観および高級感を向上できる。
【００２３】
また、連結部材６１の端部６１２には、開口部６１５が形成されていて、この連結部材６１に板バネ７を取り付けた際には、自然状態（板バネ７が撓んでいない状態）において板バネ７の先端（自由端）７１が開口部６１５から僅かに突出するようになっている。すなわち、テンプル６は、端部６１２に形成された開口部６１５にて板バネ７の先端７１を出没可能に受け入れるように構成されている。
【００２４】
連結部材６１の端部６１２のつらは、テンプル６の主延長線に沿う方向（図４中、上下方向）に略並行であるが、板バネ７の先端７１を合口５２に向かって塑性的に湾曲させることにより、当該板バネ７の先端７１を開口部６１５から出没可能にできる。
なお、連結部材６１は、板バネ７の先端７１が開口部６１５から突出しているときは勿論、先端７１が連結部材６１内に完全に没したときにおいても、眼鏡１の平面視（図１参照）において、この連結部材６１から板バネ７が外方にはみ出さない程度の幅を有している。
【００２５】
以上のように構成された眼鏡１の作用は次の通りである。
テンプル６を、折り畳んだ状態から基準位置まで開いた時に、合口５２が所定の間隔を有している状態で板バネ７が撓み始める（図６（ａ）参照）。すなわち、テンプル６を基準位置まで開くと、蝶番５に略対向する位置、すなわち合口５２にて、板バネ７の先端７１と押当部４３とが接触する。このとき、板バネ７は撓まず、また合口５２は僅かに開いている。
また、このとき蝶番５に付された第１の目盛４１ａと、第２の目盛６１１ａとが揃う。
【００２６】
この状態（以下、「基準状態」と記す。）からテンプル６を更に開くときには、当該開きに伴って板バネ７の先端７１が押当部４３に突き当たりながら板バネ７が撓み、その復元力がテンプル６を基準位置に戻すバネ力として作用する。
詳細には、基準状態からテンプル６をさらに開く過程においては、板バネ７の先端７１が押当部４３を突き立てつつ眼鏡フロント方向（図６中、下方向）に摺動しながら、連結部材６１内に退く。このとき、テンプル６は板バネ７によって眼鏡装用状態に戻る方向に付勢されるので、眼鏡１の掛け外しをスムースに行えると共に、テンプル６のフィット感を良好にでき、しかも装用した際の眼鏡１の安定性を向上できる。
【００２７】
そして、基準状態からテンプル６をさらに所定の角度（例えば、５度）開いた状態（図１中、実線で示す状態）では、ヨロイ４本体と連結部材６１本体とが当たり、合い口５２が完全に閉じることによって、それ以上の板バネ７の撓みが阻止される。このとき、板バネ７の先端７１は連結部材６１の内部に完全に退く（図６（ｂ）参照）。また、このとき、蝶番５に付された第１の目盛４１ａと、第２の目盛６１１ａとがズレている。
なお、このとき板バネ７の撓み量が最大となるが、眼鏡１の平面視（図１参照）において、連結部材６１から板バネ７が外方にはみ出すことはない。
【００２８】
以下、眼鏡１のフィッティング調整について説明する。
眼鏡１の装用状態においては、板バネ７のバネ力がこめかみに作用しないようにフィッティング調整するのが好ましい。眼鏡装用時に常にバネ力が作用すると、これを長時間装用した場合に、装用者に疲労感を与えてしまうからである。
この眼鏡１では、テンプル６を基準位置まで開いた時に、合口５２が所定の間隔を有している状態でバネ力が作用し始めるようにしたので、実際に眼鏡１を装用した時における合口５２の間隔を見て、それが前記所定の間隔と一致しているか否かによって経験の少ない販売員等でもフィッティングの良否を容易に判別できる。
【００２９】
例えば、実際に眼鏡１を装用した時における合口５２の間隔が、前記所定の間隔よりも狭くなった場合には、そのとき装用者のこめかみにバネ力が作用していることが分かる。この場合、販売員等はフレームを曲げる等の調整を行うことにより、装用時における合口５２の間隔を前記所定の間隔にまで広げて、装用時にバネ力が作用しないようにする。
【００３０】
また、左右の合口５２，５２の間隔を見比べて、これらが一致しているか否かによって経験の少ない販売員等でもフィッティングの良否を容易に判別できる。この眼鏡１では、図１に示すように、左右の合口５２，５２が共に眼鏡フロント側（図１中、下方向）に配置されているので、左右の合口５２，５２の間隔を同時に見比べることができる。
販売員等は、合口５２の間隔が左右で相違していると判断した場合には、フレームを曲げる等の調整を行うことによりそれらを一致させる。このとき、左右の合口５２，５２の間隔を前記所定の間隔に一致させるのが好ましい。
【００３１】
以上のように、合口５２の間隔をみることによってフィッティングの良否を充分判別できるが、この眼鏡１では、蝶番５に第１の目盛４１ａ、第２の目盛６１１ａを付しているので、それらの目盛が揃っているか否かによっても、フィッティングの良否を一層確実に視認できる。
なお、第１の目盛４１ａと第２の目盛６１１ａの付し方は特に限定されるものではなく、例えば基準位置からのテンプル６のずれ角が許容範囲内であるか否かを視認できるようにしてもよい。
【００３２】
本実施の形態によれば、次のような効果が得られる。
(1)以上のような構成とすることにより、実際に眼鏡１を装用した際には、合口５２の開き具合又は第１、第２の目盛４１ａ，６１１ａを見ることによって、その時に作用している板バネ（片持ち梁）７の弾性抗力の大きさを推測できるので、例えばテンプルエンドなど眼鏡フレームにおける他の部分の調整或いはメンテナンスを的確に行える。その結果、最適な装用感の得られる眼鏡を実現できる。
【００３３】
(2)板バネ（片持ち梁）７の自由端７１を合口５２に臨ませる一方、ヨロイ４の端部４２に押当部４３を設けてバネ蝶番を構成したので、蝶番５に略対向する位置で板バネ（片持ち梁）７の先端７１と押当部４３とが接触することとなり、テンプル６を折り畳んだ際に板バネ（片持ち梁）７と押当部４２との何れもが外方に突き出ることが回避される。
【００３４】
(3)眼鏡装用状態からテンプル６をさらに開くときには、押当部４２が板バネ（片持ち梁）７の先端によって突き立てられるようにしたので、このときにも板バネ（片持ち梁）７の先端７１が外方に突き出ることはない。
【００３５】
(4)板バネ（片持ち梁）７は、その先端７１が押当部４３を突き立てながら撓むので、例えば、片持ち梁における長手方向の途中の箇所を押圧する場合に比べると、板バネ（片持ち梁）７の耐磨耗性、耐変形性を向上できる。
【００３６】
(5)ヨロイ４とテンプル６とを、互いの端部４２，６１２で合口５２が構成されるように連結したので、板バネ（片持ち梁）７が所定以上撓んだときに、合口５２が閉じることによって、それ以上の撓みが阻止される。これにより、板バネ（片持ち梁）７の塑性変形を防止できるのはもとより、その疲労を低減でき、結果として板バネ（片持ち梁）７の寿命を延ばせる。
【００３７】
(6)テンプル本体６２と連結部材６１とを別部材とし、連結部材６１に板バネ（片持ち梁）７を設けることにより、板バネ７のバネ支点（リベット接合部）に生じる応力がテンプル本体６２に直接かかることが回避され、結果としてテンプル６の耐久性を向上できる。また、例えばテンプル本体６２をウッド調にする一方、連結部材６１をメタル調にしてアクセントをつければ、眼鏡１の美観および高級感をいっそう向上できる。
【００３８】
(7)板バネ７（片持梁）の一表面７２が外部に露出するように構成したので、板バネ７の配置箇所（連結部材６１）に水等の液体が溜まることがなく、板バネ７（片持梁）が腐食するのを回避できる。また、板バネ７（片持梁）の少なくとも一表面７２に装飾を施すことにより、構成の簡素化と美観の向上とのバランスのとれた眼鏡フレーム或いは眼鏡１が実現される。
【００３９】
(8)板バネ７（片持梁）の一表面７２が露出しているので、その部分において板バネの撓み具合を視認することができ、バネ力の大きさを一層正確に推定できるのは勿論、その疲労具合なども確認できるようになり、眼鏡店などにおいてもメンテナンスをより的確に行えるようになる。
【００４０】
〔第２の実施の形態〕
以下、第１の実施の形態と同様の構成については、便宜的に同一の符号を用いながら第２の実施の形態について説明する。
【００４１】
第２の実施の形態では、図７〜図９に示すように、連結部材９が、板バネ１０の先端１１と、裏面（こめかみ側の面）の一部１２と、表面１３とを除く部分を覆うに構成されている。従って、板バネ１０の裏面の一部１２と表面１３とが外部に露出するが、板バネ１０を18金のような貴金属で構成することで、連結部材９の軽量化および簡素化を図りながら、眼鏡の美観および高級感を一層向上できる。
なお、板バネ１０の裏面の一部１２には、所定の刻印その他の装飾を施すこともできる。
【００４２】
また、連結部材９の板バネ装着部９２は、断面略Ｔ字状に形成されており、これによって板バネ１０が平面視において外方に突出せず、且つリベット６１４の頭部がこめかみ側に突出しないようになっている。
【００４３】
板バネ１０は、その先端１１が合口５２を臨むようにして連結部材９に取付けられているが、自然状態においてもその先端１１が連結部材９から突出しないように当該わたりが短くされてある。
そして、連結部材９には板バネ１０の先端１１を臨む開口部９１（図８参照）を形成する一方、ヨロイ８には押当部として凸状部８１（図９参照）を設け、合口５２が閉じる過程で、凸状部８１が開口部９１を介して連結部材９の内部に遊挿し、板バネ１０の先端１１と互いに突き立て合うようになっている。
【００４４】
更に、図９に示すように、ヨロイ８に設けられた雄型蝶番片には第１の目盛８ａを付す一方、連結部材９に設けられた雌型蝶番片には第２の目盛９ａを付している。これらの目盛８ａ，９ａは、テンプル６を基準位置まで開いた時に揃うようになっており、これによってフィッティングの良否を正確に視認できるようになっている。
【００４５】
以上のように構成された眼鏡の作用は次の通りである。
先ず、テンプル６を、折り畳んだ状態から図１中想像線（２点鎖線）で示す位置まで開くと、蝶番５に略対向する位置で、板バネ１０の先端１１と凸状部８１とが接触する（図９（ａ）参照）。詳細には、テンプル６の開拡に伴って、凸状部８１が開口部９１を介して連結部材９の内部に進入して、その頂上と板バネ１０の先端１１とが接触する。このとき、凸状部８１は連結部材９の内部に完全には進入せず、合口５２が僅かに開いている。
また、このとき蝶番に付された第１の目盛８ａと、第２の目盛９ａとが揃う。
【００４６】
次いで、この基準状態からテンプル６をさらに開くときには、凸状部８１が板バネ１０の先端１１によって突き立てられながら板バネ１０が撓むことにより、当該板バネ１０の弾性抗力が作用する。詳細には、基準状態からテンプル６をさらに開く過程においては、板バネ１０の先端１１が凸状部８１の頂上を眼鏡フロント方向（図９中、下方向）に摺動しながら、当該凸状部８１が連結部材９の内部に進入する。このとき、テンプル６は板バネ７によって基準位置に戻る方向に付勢される。
【００４７】
そして、基準状態からテンプル６をさらに所定の角度（例えば、５度）開いた状態（図１中、実線で示す状態）では、ヨロイ８本体と連結部材９本体とが当たり、合口５２が閉じることによって、それ以上の板バネ１０の撓みが阻止される。このとき、凸状部８１は開口部９１を介して連結部材９の内部に完全に嵌まる（図９（ｂ）参照）。
また、このとき蝶番に付された第１の目盛８ａと、第２の目盛９ａとがズレる。
【００４８】
以上、本発明の好適な形態について説明したが、本発明はこれに限られない。
例えば、板バネ７，１０の材質は、特に18金に限定されず、例えばりん青銅、ステンレス鋼、クロムバナジウム鋼、βチタン、形状記憶合金その他のバネ性に富む金属又は樹脂によってもこれを構成できる。
また、テンプル６と連結部材６１（９）とを別部材としているが、連結部材６１（９）の一部又は全部をテンプル６と一体としてもよい。
また、以上の各実施の形態は、リムレスフレームを用いた場合に適用した例であるが、他の形式のフレームにも適用できることは勿論である。
【００４９】
【発明の効果】
本発明によれば、板バネを用いたバネ蝶番を有する眼鏡フレームを、簡素な構成でしかも見栄え良く実現できる。本発明によれば、板バネを用いたバネ蝶番を有する眼鏡フレームにおいて、テンプルを折り畳んだときなどにバネ蝶番に係る部材が外方に突き出てしまわないようにすることが達成される。本発明によれば、バネ蝶番を有する眼鏡フレームを、経験の少ない販売員であっても容易にフィッティング調整できるようにすることが実現される。
【図面の簡単な説明】
【図１】実施の形態による眼鏡の平面概略図である。
【図２】実施の形態による眼鏡のテンプル周りの構成を示す図であり、（ａ）はテンプルをこめかみ側からみた図、（ｂ）はテンプルを外側からみた状態を示す。
【図３】実施の形態による眼鏡の蝶番まわりの構成を示す図である。
【図４】実施の形態による眼鏡の連結部材まわりの分解図である。
【図５】実施の形態による眼鏡の連結部材まわりの外観図である。
【図６】実施の形態による眼鏡の作用を説明するための図であり、（ａ）は眼鏡装用状態を示し、（ｂ）は合口が閉じた状態を示す。
【図７】別の実施の形態による眼鏡のテンプル周りの構成を示す図であり、（ａ）はテンプルをこめかみ側からみた図、（ｂ）はテンプルを外側からみた状態を示す。
【図８】別の実施の形態による眼鏡の連結部材まわりの分解図である。
【図９】別の実施の形態による眼鏡の作用を説明するための図であり、（ａ）は眼鏡装用状態を示し、（ｂ）は合口が閉じた状態を示す。
【符号の説明】
１        眼鏡
４        ヨロイ
４１ａ    第１の目盛（視認手段）
４２      ヨロイの端部
４３      押当部
５        蝶番
５２      合口
６        テンプル
６１１ａ  第２の目盛（視認手段）
６１２    テンプルの端部
６１５    開口部
７        板バネ（弾性部材、片持ち梁）
【図１】
0004115127.tif 000002
【図２】
0004115127.tif 000003
【図３】
0004115127.tif 000004
【図４】
0004115127.tif 000005
【図５】
0004115127.tif 000006
【図６】
0004115127.tif 000007
【図７】
0004115127.tif 000008
【図８】
0004115127.tif 000009
【図９】
0004115127.tif 000010